(57)【要約】【課題】係合突起の係合を離脱させるべく利用されるクリアランスを設けても、化粧料皿の形態を問わず、当該化粧料皿の取り外し操作を円滑に行うことが可能なコンパクト容器の提供を目的とする。【解決手段】環状周壁１内に化粧料皿２が交換可能に装着される容器本体３の当該環状周壁に弾性可撓部４を形成し、弾性可撓部およびこれと向かい合う環状周壁部位に一対で、第１係合突起５ａ，５ｂを形成し、化粧料皿に、第１係合突起に係脱自在に係合する第２係合突起６ａ，６ｂを一対形成し、環状周壁と化粧料皿との間に、化粧料皿の移動を許容するクリアランスＱを設け、一対の第１および第２係合突起のうち、少なくともいずれか一方の第１および第２係合突起それぞれに一体的に、環状周壁と化粧料皿の周方向位置を位置決めすべくそれらの周方向に互いに係止される突部７および溝部８を形成した。【選択図】図３
2009125118.tif 000002
【特許請求の範囲】
【請求項１】
環状周壁内方に化粧料皿が交換可能に装着される容器本体を有するコンパクト容器において、
上記環状周壁に弾性可撓部を形成し、
該弾性可撓部およびこれと向かい合う環状周壁部位に一対で、第１係合突起を形成し、
上記化粧料皿に、上記第１係合突起に係脱自在に係合して該化粧料皿を上記環状周壁内方に保持する第２係合突起を一対形成するとともに、
上記環状周壁と上記化粧料皿との間に、上記弾性可撓部を弾性変形させて上記第１係合突起から上記第２係合突起を離脱させるために、該化粧料皿の移動を許容するクリアランスを設け、
一対の上記第１係合突起および上記第２係合突起のうち、少なくともいずれか一方の第１および第２係合突起それぞれに一体的に、上記環状周壁と上記化粧料皿の周方向位置を位置決めすべくそれらの周方向に互いに係止される突部および溝部を形成したことを特徴とするコンパクト容器。
【請求項２】
前記第１係合突起および前記第２係合突起のいずれか一方に、前記溝部に係合して前記化粧料皿の装着操作を案内する案内突条を一体的に形成したことを特徴とする請求項１に記載のコンパクト容器。
【発明の詳細な説明】
【技術分野】
【０００１】
本発明は、係合突起の係合を離脱させるべく利用されるクリアランスを設けても、化粧料皿の形態を問わず、当該化粧料皿の取り外し操作を円滑に行うことが可能なコンパクト容器に関する。
【背景技術】
【０００２】
詰替え用化粧皿を収納する際には容器本体の上方からワンタッチで嵌着収納することができ、また、化粧皿を交換する際にもワンタッチで化粧皿の交換を行うことができるコンパクト容器として、特許文献１が知られている。
【０００３】
このコンパクト容器は、蝶番部を介して容器本体と蓋体とを開閉自在に連結し、該容器本体に皿枠を固定的に取り付けて該皿枠内に詰替え用化粧皿を着脱自在に収納可能としてなるコンパクト容器において、該皿枠の後端壁にスリットを形成して可撓片を容器本体側に変形可能に設け、該皿枠の前方壁の内側下部及び後端壁の該可撓片内側下部に第１の係合突部を設けるとともに、該詰替え用化粧皿の前端壁外側及び後端壁外側のそれぞれ下部に該第１の係合突部に係合可能な第２の係合突部を設け、該第１の係合突部及び該第２の係合突部の少なくともいずれか一方にテーパー部を形成し、該詰替え用化粧皿と該皿枠の該後端壁の間に該皿枠内で該詰替え用化粧皿が前後方向に摺動可能なクリアランスを形成し、該詰替え用化粧皿を着脱可能としている。
【特許文献１】実開平６−３２０７号公報
【発明の開示】
【発明が解決しようとする課題】
【０００４】
背景技術にあっては、皿枠内で化粧皿が前後方向に摺動可能なクリアランスを形成することによって、可撓片を変形させることができ、これにより第１および第２の係合突起を外すことができて、化粧皿を着脱可能に取り外すことができるようになっている。このような構成は、化粧皿およびこれが収納される皿枠内部の形態が、例えば四角形など、角付けされた形状である場合は問題ないが、例えば図５に示すように、化粧皿ａが丸味を帯びた形態、例えば楕円形などで形成される場合、皿枠ｂと化粧皿ａとの間のクリアランスｃによって、当該化粧皿ａは皿枠ｂ内部で、前後方向のみならず、その周方向に沿って回転することもできる。
【０００５】
第１および第２の係合突起ｄ，ｅの係合が保たれた状態で、化粧皿ａが回転して皿枠ｂ内で傾き、これによって化粧皿ａが皿枠ｂの内周面ｆに当接する事態が生じると、化粧皿ａが皿枠ｂ内部に挟まった状態となって化粧皿ａを前後方向に摺動させることができず、化粧皿ａを皿枠ｂからスムーズに取り外すことができなくなってしまうという課題があった。
【０００６】
本発明は上記従来の課題に鑑みて創案されたものであって、係合突起の係合を離脱させるべく利用されるクリアランスを設けても、化粧料皿の形態を問わず、当該化粧料皿の取り外し操作を円滑に行うことが可能なコンパクト容器を提供することを目的とする。
【課題を解決するための手段】
【０００７】
本発明にかかるコンパクト容器は、環状周壁内方に化粧料皿が交換可能に装着される容器本体を有するコンパクト容器において、上記環状周壁に弾性可撓部を形成し、該弾性可撓部およびこれと向かい合う環状周壁部位に一対で、第１係合突起を形成し、上記化粧料皿に、上記第１係合突起に係脱自在に係合して該化粧料皿を上記環状周壁内方に保持する第２係合突起を一対形成するとともに、上記環状周壁と上記化粧料皿との間に、上記弾性可撓部を弾性変形させて上記第１係合突起から上記第２係合突起を離脱させるために、該化粧料皿の移動を許容するクリアランスを設け、一対の上記第１係合突起および上記第２係合突起のうち、少なくともいずれか一方の第１および第２係合突起それぞれに一体的に、上記環状周壁と上記化粧料皿の周方向位置を位置決めすべくそれらの周方向に互いに係止される突部および溝部を形成したことを特徴とする。
【０００８】
前記第１係合突起および前記第２係合突起のいずれか一方に、前記溝部に係合して前記化粧料皿の装着操作を案内する案内突条を一体的に形成したことを特徴とする。
【発明の効果】
【０００９】
本発明にかかるコンパクト容器にあっては、係合突起の係合を離脱させるべく利用されるクリアランスを設けても、化粧料皿の形態を問わず、当該化粧料皿の取り外し操作を円滑に行うことができる。
【発明を実施するための最良の形態】
【００１０】
以下に、本発明にかかるコンパクト容器の好適な一実施形態を、添付図面を参照して詳細に説明する。本実施形態にかかるコンパクト容器は基本的には、図１〜図４に示すように、環状周壁１内方に化粧料皿２が交換可能に装着される容器本体３を有するコンパクト容器において、環状周壁１に弾性可撓部４を形成し、弾性可撓部４およびこれと向かい合う環状周壁部位に一対で、第１係合突起５ａ，５ｂを形成し、化粧料皿２に、第１係合突起５ａ，５ｂに係脱自在に係合して化粧料皿２を環状周壁１内方に保持する第２係合突起６ａ，６ｂを一対形成するとともに、環状周壁１と化粧料皿２との間に、弾性可撓部４を弾性変形させて第１係合突起５ａ，５ｂから第２係合突起６ａ，６ｂを離脱させるために、化粧料皿２の移動を許容するクリアランスＱを設け、一対の第１係合突起５ａ，５ｂおよび第２係合突起６ａ，６ｂのうち、少なくともいずれか一方の第１および第２係合突起それぞれに一体的に、環状周壁１と化粧料皿２の周方向位置を位置決めすべくそれらの周方向に互いに係止される突部７および溝部８を形成して構成される。
【００１１】
また、第１係合突起５ａ，５ｂおよび第２係合突起６ａ，６ｂのいずれか一方に、溝部８に係合して化粧料皿２の装着操作を案内する案内突条９が一体的に形成される。
【００１２】
容器本体３は、前後方向に縦長な浅底皿状に形成され、その内部に皿枠１０が装着されて構成される。容器本体３には、その後端部の左右一対のヒンジ部１１間に蓋体のヒンジ片１２が挿入されるとともに、これらヒンジ部１１からヒンジ片１２にわたってヒンジピン１３が挿入されて、当該容器本体３を開閉する蓋体が回動自在に取り付けられる。容器本体３の前端部には、容器本体３を閉止した蓋体を係止して、閉止状態を保持するフック突起１４が形成される。
【００１３】
容器本体３内部に装着される皿枠１０は、合成樹脂材で形成される。皿枠１０は、容器本体３上に重ね合わされて、当該容器本体３上面を形成するプレート部１５と、プレート部１５から容器本体３の底面３ａ上へ垂下形成され、容器本体３の前後に化粧具収納部１６および化粧料皿収納部１７を区画形成する前後一対の環状周壁１，１８と、これら環状周壁１，１８間でプレート部１５を下方へ窪ませて形成された操作用凹部１９とを備えて構成される。環状周壁１内方の化粧料皿収納部１７には、化粧料皿２が交換可能に装着される。
【００１４】
環状周壁１は、オーバルのように、四辺および四隅が丸味を帯びた平面四角形状に形成される。環状周壁１の後部面部位には、Ｕ字状のスリット２０が形成され、このスリット２０で取り囲んで、環状周壁１外方へ弾性的に撓み変形可能な弾性可撓部４が形成される。この弾性可撓部４およびこれと向かい合う操作用凹部１９下の前部面部位それぞれには、化粧料皿収納部１７内方へ突出させて、第１係合突起５ａ，５ｂが一対形成される。第１係合突起５ａ，５ｂは横長に形成され、その下面は平坦面で形成されるとともに、上面が化粧料皿収納部１７内方へ向かって下り傾斜のテーパー面で形成される。
【００１５】
化粧料皿２は、合成樹脂材で形成される。化粧料皿２は、その内方に化粧料収容部２１が形成された皿状であって、平面外形輪郭が環状周壁１の平面四角形状に沿って形成される。化粧料皿２の外径寸法は、環状周壁１の内径寸法よりも小さく形成され、これにより、化粧料皿２と環状周壁１との間には、環状周壁１内方、換言すれば化粧料皿収納部１７内で、化粧料皿２の移動を許容するクリアランスＱが設けられる。
【００１６】
化粧料皿２の外周面２ａには、第１係合突起５ａ，５ｂの形成位置に対応させて、第２係合突起６ａ，６ｂが一対形成される。第２係合突起６ａ，６ｂは、化粧料皿２の着脱方向、具体的には上下方向に、第１係合突起５ａ，５ｂと係脱自在に係合し、これにより、化粧料皿２を環状周壁１内方に保持する。第２係合突起６ａ，６ｂも横長に形成され、その上面は平坦面で形成されるとともに、下面が化粧料皿２外方へ向かって上り傾斜のテーパー面で形成される。第２係合突起６ａ，６ｂは、その下面で第１係合突起５ａ，５ｂの上面を滑り降り、第１係合突起５ａ，５ｂを乗り越えてその下側に入り込むことで、その上面が第１係合突起５ａ，５ｂの下面にそれらの平坦面で当接し、これにより、第１係合突起５ａ，５ｂとの係合状態が保持される。またこれら係合突起５ａ，５ｂ，６ａ，６ｂの係合により、第１係合突起５ａの先端と化粧料皿２の外周面２ａ、あるいは第２係合突起６ａの先端と弾性可撓部４が当接可能に互いに向かい合って位置される。
【００１７】
クリアランスＱを利用し、化粧料皿収納部１７内で化粧料皿２を容器本体３後方へ押圧して移動させると、第１係合突起５ａと化粧料皿２との当接等によって弾性可撓部４を環状周壁１外方へ弾性変形させることができ、これにより操作用凹部１９下の第１係合突起５ｂと一方の第２係合突起６ｂとの係合が離脱され、さらに弾性可撓部４の第１係合突起５ａと他方の第２係合突起６ａとの係合が離脱されるようになっている。
【００１８】
化粧料皿２の移動を許容するクリアランスＱが設けられることにより、化粧料皿２は環状周壁１内方でそれらの周方向に回転可能となっている。本実施形態にあっては、当該回転を阻止するために、環状周壁１と化粧料皿２の周方向位置を位置決めするための突部７と溝部８が形成される。本実施形態では、溝部８は、第２係合突起６ａ，６ｂに一体的に、上下方向に沿って形成される。突部７は、第１係合突起５ａ，５ｂの下面に一体的に、下方へ垂下させて形成される。従って、第２係合突起６ａ，６ｂが第１係合突起５ａ，５ｂに係合すると、突部７と溝部８は、環状周壁１および化粧料皿２の周方向に互いに係止される。
【００１９】
図示例にあっては、突部７は環状周壁１に接合して形成されているが、接合して形成しなくともよい。また、溝部８および突部７は、一対の第１係合突起５ａ，５ｂおよび第２係合突起６ａ，６ｂ双方に形成されているが、これら一対の第１および第２係合突起５ａ，５ｂ，６ａ，６ｂのうち、いずれかの第１および第２係合突起に形成するだけであってもよい。さらに、第１係合突起５ａ，５ｂに溝部８を形成し、第２係合突起６ａ，６ｂに突部７を形成するようにしてもよい。この場合、突部７は、第２係合突起６ａ，６ｂの上面に一体的に、上方へ立ち上げて形成される。
【００２０】
さらに、溝部８に係合して化粧料皿２の装着操作を案内する案内突条９が設けられる。本実施形態にあっては、溝部８を化粧料皿２の第２係合突起６ａ，６ｂに形成していることから、案内突条９は、少なくともいずれか一方の第１係合突起５ａに形成される。案内突条９は、環状周壁１の周方向で突部７の形成位置に合致させて、第１係合突起５ａの上面に一体的に、上方へ立ち上げて形成される。案内突条９の上端には、装着される化粧料皿２の底を受けて挿入操作を案内するために、化粧料皿収納部１７内方へ向かって下り傾斜のテーパ部９ａが形成される。
【００２１】
図示例にあっては、案内突条９は環状周壁１に接合して形成されているが、接合して形成しなくともよい。また、案内突条９は、一対の第１係合突起５ａ，５ｂのうち、片方に形成されているが、一対の第１係合突起５ａ，５ｂ双方に形成するようにしてもよい。さらに、第１係合突起５ａ，５ｂに溝部８を形成した場合には、案内突条９は第２係合突起６ａ，６ｂに形成される。この場合、案内突条９は、第２係合突起６ａ，６ｂの下面に一体的に、下方へ垂下させて形成される。
【００２２】
次に、本実施形態にかかるコンパクト容器の作用について説明する。化粧料皿２を容器本体３の化粧料皿収納部１７に装着する際には、第２係合突起６ａ，６ｂの溝部８を第１係合突起５ａ，５ｂの案内突条９位置に合わせて、化粧料皿２を環状周壁１内方へ押し入れる。化粧料皿２は、案内突条９と溝部８との連係で押し込み方向が案内されつつ押し込まれていき、弾性可撓部４の第１係合突起５ａが第２係合突起６ａによって押されて、これにより弾性可撓部４が環状周壁１外方へ可撓変形される。弾性可撓部４が可撓変形することで、一対の第２係合突起６ａ，６ｂはともに、各第１係合突起５ａ，５ｂを乗り越えてその下側に入り込み、これによりこれら係合突起５ａ，５ｂ，６ａ，６ｂが係合して、化粧料皿２は化粧料皿収納部１７内に保持される。係合突起５ａ，５ｂ，６ａ，６ｂの係合作用と同時に、第２係合突起６ａ，６ｂの溝部８と第１係合突起５ａ，５ｂの突部７とが互いに係止され、これによって化粧料皿２の周方向への回転が阻止される。
【００２３】
他方、化粧料皿２を取り外すときには、操作用凹部１９に手指を挿入し、化粧料皿２を弾性可撓部４へ向かって押圧する。押圧によって弾性可撓部４が変形すると、操作用凹部１９下の第１および第２係合突起５ｂ，６ｂの係合が離脱され、さらに弾性可撓部４の第１係合突起５ａと第２係合突起６ａの係合も離脱させることができるので、その後は化粧料皿２を上方へ引き上げることで、化粧料皿収納部１７から取り外すことができる。
【００２４】
本実施形態にかかるコンパクト容器にあっては、係合突起５ａ，５ｂ，６ａ，６ｂの係合を離脱させるためのクリアランスＱを設けても、第１および第２係合突起５ａ，５ｂ，６ａ，６ｂに形成した突部７と溝部８により化粧料皿２の回転を阻止することができ、化粧料皿２の形態を問わず、当該化粧料皿２の取り外し操作を円滑に行うことができる。また、突部７と溝部８を、係合突起５ａ，５ｂ，６ａ，６ｂに一体的に形成したので、環状周壁１で形成される化粧料皿収納部１７に余分なスペースを確保する必要がなく、コンパクト容器が大型化することを防止できる。また、案内突条９を設けたので、化粧料皿２の装着操作を案内することができ、突部７と溝部８を確実に係止させることができる。
【００２５】
以上、本発明にかかるコンパクト容器の好適な一実施形態について説明したが、環状周壁１と化粧料皿２の関係については、それらの周方向に回転を生じ得る形態のものであればどのような形態であっても、本発明を適用して上記作用効果を確保できることはもちろんである。
【図面の簡単な説明】
【００２６】
【図１】本発明にかかるコンパクト容器の好適な一実施形態を示す部分斜視図である。
【図２】図１のコンパクト容器に装着される化粧料皿を示す斜視図である。
【図３】図１のコンパクト容器の蓋体を開放した状態を示す平面図である。
【図４】図１のコンパクト容器の要部側断面図である。
【図５】従来の課題を説明するためのコンパクト容器の平面図である。
【符号の説明】
【００２７】
１  環状周壁
２  化粧料皿
３  容器本体
４  弾性可撓部
５ａ，５ｂ  第１係合突起
６ａ，６ｂ  第２係合突起
７  突部
８  溝部
９  案内突条
Ｑ  クリアランス
【図１】
2009125118.tif 000003
【図２】
2009125118.tif 000004
【図３】
2009125118.tif 000005
【図４】
2009125118.tif 000006
【図５】
2009125118.tif 000007